(57)【要約】【課題】画像形成装置は、画像形成部を有する装置本体と、該装置本体の側面に設けられ、外部機器と該装置本体とを電気的に繋ぐ配線が接続されるコネクターとを備えた画像形成装置において、コネクターに接続される配線が剥き出しになって外観意匠が損なわれるのを防止する。【解決手段】装置本体２の側面を覆う外装カバー２３には、配線を収容するとともに所定箇所まで案内する溝部２１７，２２６が設けられている。【選択図】図２
2020046535.tif 000002
【特許請求の範囲】
【請求項１】
画像形成部を有する装置本体と、該装置本体の側面に設けられ、外部機器と該装置本体とを電気的に繋ぐ配線が接続されるコネクターとを備えた画像形成装置であって、
上記装置本体の側面を覆う外装カバーには、上記配線を収容するとともに所定箇所まで案内する溝部が設けられている、画像形成装置。
【請求項２】
請求項１記載の画像形成装置において、
上記外装カバーの上記溝部を覆う被覆カバーをさらに備えている、画像形成装置。
【請求項３】
請求項２記載の画像形成装置において、
上記外装カバーは、上記溝部を形成する互いに対向する一対のガイド壁と、一方の該ガイド壁における上記溝部の開放側の端縁に連接する第一平坦部と、他方の該ガイド壁における上記溝部の開放側の端縁に連接する第二平坦部とを有し、
上記被覆カバーは、上記第一平坦部に当接支持されて上記溝部の開放側を覆う板状部を備え、
上記板状部は厚さ方向に可撓可能に構成されている、画像形成装置。
【請求項４】
請求項３記載の画像形成装置において、
上記板状部の先端部は、その他の部分に比べて厚さが薄くなるように形成されている、画像形成装置。
【請求項５】
請求項３又は４記載の画像形成装置において、
上記第一平坦部は、上記板状部の表面が上記第二平坦部の表面と面一になるように、該第二平坦部に対して段差を持って形成されている、画像形成装置。
【請求項６】
請求項３乃至５のいずれか一項に記載の画像形成装置において、
上記一対のガイド壁は、上記溝部の深さ方向の奥側に向かって互いの内側に傾斜しており、
上記板状部の先端部と上記他方のガイド壁との間には隙間が設けられ、
上記一方のガイド壁の傾斜角度は、上記隙間側に位置する上記他方のガイド壁の傾斜角度よりも小さい、画像形成装置。
【請求項７】
請求項１乃至６のいずれか一項に記載の画像形成装置において、
上記溝部は、深さ方向の奥側ほど溝幅が狭くなるように形成されている、画像形成装置。
【請求項８】
請求項１乃至７のいずれか一項に記載の画像形成装置において、
上記配線は、直径が異なる複数種類の使用が予定されており、
上記溝部の内壁面には、該溝部内に収容される上記配線の溝部開放側への移動を規制する複数の突部が形成されており、
上記複数の突部は、上記複数種類の配線の直径に対応して上記溝部の深さ方向の異なる位置に設けられている、画像形成装置。
【発明の詳細な説明】
【技術分野】
【０００１】
本発明は、画像形成装置に関する。
【背景技術】
【０００２】
従来より、画像形成部を有する装置本体の側面に、該装置本体と外部機器とを繋ぐ配線を接続するためのコネクターを備えた画像形成装置は知られている（例えば、特許文献１参照）。このコネクターの一例として、ＬＡＮポートやＵＳＢポートが挙げられる。また、外部機器の一例としてコンピューターや後処理装置が挙げられる。
【先行技術文献】
【特許文献】
【０００３】
【特許文献１】特開２００３−２５１８８１号公報
【発明の概要】
【発明が解決しようとする課題】
【０００４】
しかしながら、上記特許文献１に示す画像形成装置では、コネクターに接続された配線が外部に剥き出しになって外観意匠を損ねるという問題がある。
【０００５】
本 発明は、かかる点に鑑みてなされたものであり、その目的とするところは、配線が接続されるコネクターを装置本体の側面に有する画像形成装置において、配線が剥き出しになって外観意匠が損なわれるのを防止することにある。
【課題を解決するための手段】
【０００６】
本発明に係る画像形成装置は、画像形成部を有する装置本体と、該装置本体の側面に設けられ、外部機器と該装置本体とを電気的に繋ぐ配線が接続されるコネクターとを備えている。
【０００７】
そして、上記装置本体の上記側面には、上記配線を収容するとともに所定箇所まで案内する溝部が設けられている。
【発明の効果】
【０００８】
本発明によれば、配線が接続されるコネクターを装置本体の側面に有する画像形成装置において、配線が剥き出しになって外観意匠が損なわれるのを防止することができる。
【図面の簡単な説明】
【０００９】
【図１】図１は、実施形態における画像形成装置の全体構成を示す概略図である。
【図２】図２は、実施形態における画像形成装置のフレーム構成を示す外観斜視図である
【図３】図３は、装置本体の右側面の後端部を覆う側面外装カバーの上側分割部を示す斜視図である。
【図４】図４は、装置本体の側面外装カバーの一部である下側分割カバーを示す斜視図である。
【図５】図５は、装置本体の背面を覆う背面カバーと、下側分割カバーとの係合状態を示す斜視図である。
【図６】図６は、図５のVI−VI線断面図である。
【図７】図７は、図５におけるVII部を拡大して示す拡大斜視図である。
【図８】図８は、図６のVIII部を拡大して示す拡大図である。
【図９】図９は、実施形態２を示す図８相当図である。
【発明を実施するための形態】
【００１０】
以下、本発明の実施形態を図面に基づいて詳細に説明する。尚、本発明は、以下の実施形態に限定されるものではない。
【００１１】
《実施形態１》
図１は、実施形態における画像形成装置１を示す概略構成図を示す。以下の説明において、前側、後側は、画像形成装置１の前側、後側（図１の紙面垂直方向の手前側、奥側）を意味し、左側、右側は、画像形成装置１を前側から見たときの左側、右側を意味するものとする。
【００１２】
上記画像形成装置１は、胴内排紙型の複写機であって、装置本体２と、装置本体２の上側に設けられた画像読取装置３とを有している。画像読取装置３は、原稿画像を光学的に読み取ってその画像データを生成する。
【００１３】
装置本体２内には、画像読取装置３にて読取った原稿の画像データを基に用紙Ｐに画像を転写形成する画像形成部４が設けられている。画像形成部４の下方には、レーザー光を照射する露光装置５が配置され、画像形成部４の上方には、転写ベルト６が配置されている。露光装置５の下方には、用紙Ｐを貯留する給紙部７が配置されている。転写ベルト６の右側の上方には、用紙Ｐに転写形成された画像に定着処理を施す定着部８が配置されている。装置本体２と画像読取装置３との間には、定着部８にて定着処理が施された用紙Ｐを排出する排紙空間Ｓが設けられている。装置本体２の上面には、排紙空間に排出された用紙Ｐを受け止める排紙トレイ部９が形成されている。装置本体２内には、給紙部７から排紙トレイ部９に向かって延びる用紙搬送路Ｔが設けられている。装置本体２における用紙搬送路Ｔに隣接する右側面には矩形状の開口部２ａが形成されている。この開口部２ａは、開閉カバー１２により開閉可能になっている。
【００１４】
画像形成部４は、イエロー、マゼンタ、シアン、又はブラックに対応する４つの画像形成ユニット１０を備えている。各画像形成ユニット１０は、感光体ドラム１１を有していて、露光装置５によって感光体ドラム１１に書込まれた静電潜像を現像器により現像して各色のトナー像として可視化する。画像形成部４は、各画像形成ユニット１０の感光体ドラム１１に形成された各色のトナー像を中間転写ベルトに順次転写した重ね合わせた後、給紙部７から供給される用紙Ｐに転写する。
【００１５】
定着部８は、加熱ローラー８ａと加圧ローラー８ｂとを備えている。定着部８は、画像形成部４より供給される用紙Ｐに担持されたトナー像を加熱及び加圧することで当該用紙Ｐに熱定着させる。定着処理後の用紙Ｐは排紙トレイ部９に排出される。
【００１６】
上記開閉カバー１２は、開口部２ａの下側縁に沿って延びる軸部１３に対して回動可能に支持されている。開閉カバー１２は、この閉塞状態から軸部１３を支点として装置本体２の外側（図１の右側）に回動することで開放される。開閉カバー１２を開放することで、用紙搬送路Ｔに詰まったジャム紙を処理可能になっている。
【００１７】
［コネクターの配置構成］
図２に示すように、装置本体２の右側面における開口部２ａよりも後側の領域にはコネクター１４が設けられている。コネクター１４には、他の外部機器と装置本体２とを電気的に繋ぐ配線２６〜２８（図８参照）が接続される。本実施形態ではコネクター１４は複数設けられている。コネクター１４の一例として、ＵＳＢポートやＬＡＮポートが挙げられる。また、外部機器の一例としてコンピューターや後処理装置等が挙げられる。コネクター１４は、装置本体２の右側面に形成された矩形状のコネクター収容凹部内に露出している。
【００１８】
［側面外装カバー及び背面外装カバーの構成］
装置本体２の右側面における開口部２ａよりも後側の領域は、上下方向に延びる側面外装カバー２０により覆われている。また、装置本体２の背面（後側面）は、背面外装カバー２３により覆われおり、背面外装カバー２３の右側端部（後述する側方突出板２４２及び２５２）は、側面外装カバー２０の後端部に重なるように装置本体２の右側面に回り込んでいる。
【００１９】
側面外装カバー２０は、上下方向において上側分割カバー２１と下側分割カバー２２とに二分割されている。上側分割カバー２１及び下側分割カバー２２は、装置本体２に着脱可能に組付けられている。以下の説明では、特に断らない限り、上側分割カバー２１及び下側分割カバー２２が装置本体２に組付けられているものとして説明を行う。
【００２０】
図３に示すように、上側分割カバー２１は、上下方向に延びる矩形板状のカバー本体部２１１と、カバー本体部２１１の裏面側から突出して装置本体２のコネクター収容凹部に嵌り込む矩形箱部２１２とを有している。矩形箱部２１２は、装置外方側に開放している。矩形箱部２１２の開放側の端縁は、カバー本体部２１１に形成された矩形状の開口部２１３に接続されている。矩形箱部２１２の深さ方向の奥側の壁面には、コネクター１４を外部に露出させる複数の開口部２１４が形成されている。
【００２１】
カバー本体部２１１の後側端縁には、上下方向に間隔を空けて並ぶ一対の係合片２１５が突設され、カバー本体部２１１の前側端縁には、上下方向に延びる矩形板状の係合片２１６が突設されている。そして、上側分割カバー２１は、各係合片２１５，２１６を装置本体２の所定箇所に係合させることで固定される。
【００２２】
カバー本体部２２１の表面における開口部２１３の下側には、上記配線２６（図６参照）を収容する溝部２１７が形成されている。この溝部２１７の上端部は、矩形箱部２１２内の空間に下方から接続されている。溝部２１７の開放側の端縁は、開口部２１３の端縁に連続的に繋がっている。溝部２１７の下端部はカバー本体部２１１の下側に開放していて、後述する下側分割カバー２２の溝部２２６に略連続的に繋がる。
【００２３】
図４に示すように、下側分割カバー２２は、上下方向に延びる断面コ字状のカバー本体部２２１と、カバー本体部２２１の前側端部の下部に連接されたレバー挿通部２２２とを有している。レバー挿通部２２２には上下方向に延びる矩形状の開口部２２３が形成されている。この開口部２２３は、装置本体２の下端部に軸支された不図示のレバーを挿通可能に構成されている。このレバーは、装置本体２の下端部に収納されていて、装置の運搬時に支持軸を支点に外方側に回動して持手部として利用される。
【００２４】
カバー本体部２２１の上側半部には、矩形状のルーバー領域２２４が設けられている。ルーバー領域２２４は、互いに隣接して並ぶ複数のルーバー２２５を有していて、各ルーバー２２５間を空気が流通可能になっている。装置本体２の右側面におけるカバー本体部２２１が装着される部分には、不図示の吸引ファン（図示省略）が設けられている。吸引ファンが回転することで、外部の空気がルーバー領域２２４から吸引されて装置本体２内の機器やコネクター１４の接続基板等が冷却される。
【００２５】
カバー本体部２２１の表面の後端部には、配線２６を収容する溝部２２６が形成されている。溝部２２６は、ルーバー領域２２４に隣接して上下方向に延びるように形成されている。溝部２２６の上端部は、カバー本体部２２１の上側に開放するとともに、上側分割カバー２１の溝部２１７（図３参照）に略連続的に繋がる。一方、溝部２２６の下端部は、電源ボックス（図示省略）を収容する直方体状の収容空間Ｕに連通している。
【００２６】
収容空間Ｕはカバー本体部２２１の下端部に形成されている。収容空間Ｕを囲む側壁の一部は連通部２３１を介して後側に開放している。収容空間Ｕ内の電源ボックスの電源コードや、溝部２２６に案内保持された配線２６は、この連通部２３１を介して後側に引き出される。
【００２７】
背面外装カバー２３は、上下方向において上側背面カバー２４（図２参照）と下側背面カバー２５とに二分割されている。上側背面カバー２４の右側端部及び下側背面カバー２５の右側端部はそれぞれ、装置本体２の右側面に回り込んで上側分割カバー２１の後端部及び下側分割カバー２２の後端部を覆っている。上側背面カバー２４及び下側背面カバー２５は、上側分割カバー２１の溝部２１７及び下側分割カバー２２の溝部２２６を覆う被覆カバーとして機能する。上側背面カバー２４及び下側背面カバー２５の構成は同様であるため、以下では下側背面カバー２５についてのみ説明する。
【００２８】
図５に示すように、下側背面カバー２５は背面板部２５１と側方突出板２５２（板状部の一例）とを有している。背面板部２５１は、装置本体２の背面の下側半部を覆う矩形板状をなしている。尚、図５では、背面板部２５１の右側端部のみが見えている。
【００２９】
側方突出板２５２は、背面板部２５１の右側端縁から前側に突出している。側方突出板２５２は、上下方向に長い矩形板状に形成されている。そして、側方突出板２５２は、カバー本体部２２１の後端縁から溝部２２６の上側に至る範囲を覆っている。
【００３０】
図６に示すように、側方突出板２５２は、カバー本体部２２１の第一平坦部２２７の表面に当接支持されている。カバー本体部２２１は、この第一平坦部２２７と、第二平坦部２２８と、溝部２２６と、一対の対向壁２２９，２３０とを有している。    
【００３１】
溝部２２６は装置外方側（右側）に開放する断面台形状をなしている。溝部２２６は、前壁２２６ａ、後壁２２６ｂ及び底壁２２６ｃによって形成されている。前壁２２６ａ及び後壁２２６ｂは、深さ方向の奥側ほど互いの距離（溝幅）が狭くなるように傾斜している。底壁２２６ｃは、前壁２２６ａ及び後壁２２６ｂの深さ方向の溝奥側の端縁同士を連結している。前壁２２６ａ、後壁２２６ｂ及び底壁２２６ｃは上下方向に延びる鉛直壁である。前壁２２６ａは溝深さ方向（底壁２２６ｃの垂直方向）に対して溝幅方向の外側に傾斜している。前壁２２６ａの傾斜角度θ１は、後壁２２６ｂの傾斜角度θ２よりも大きい。
【００３２】
上記第一平坦部２２７は、溝部２２６の後壁２２６ｂ（一方のガイド壁）の開放側の端縁に接続されている。第二平坦部２２８は、溝部２２６の前壁２２６ａ（他方のガイド壁）の開放側の端縁に接続されている。第一平坦部２２７は、第二平坦部２２８に対して一段下がった（凹んだ）位置に形成されている。この段差の高さは、下側背面カバー２５の側方突出板２５２の厚さと同じである。第一平坦部２２７は、下側背面カバー２５の側方突出板２５２の裏面に当接している。側方突出板２５２の表面は、第二平坦部２２８の表面と面一になっている。側方突出板２５２の先端部（第二平坦部２２８側の端部）は、溝部２２６の上側を覆うように形成されている。
側方突出板２５２の先端面（第二平坦部２２８側の端面）と、第二平坦部２２８（溝部２２６の前壁２２６ａの上端部）との間には僅かな隙間Ｃが設けられている。側方突出板２５２は、背面板部２５１と繋がる角部Ｋを支点に厚さ方向に可撓可能になっている。側方突出板２５２は、可撓性を有する部材であれば如何なる部材であってもよいが、本実施形態では一例として樹脂部材により構成されている。
【００３３】
図７及び図８に示すように、溝部２２６の後壁２２６ｂ（内壁面）における上下方向の中間部には、第一突部２２６ｄ、第二突部２２６ｅ及び第三突部２２７ｅが設けられている。３つの突部２２６ｄ〜２２６ｆは、上下方向に間隔を空けて等間隔に配置されている。３つの突部２２６ｄ〜２２６ｆは、それぞれ、直径が異なる三種類（複数種類）の配線２６に対応して異なる深さ位置に設けられている。図８では、取付け予定の三種類の配線２６〜２８のうち直径が最も小さい配線２６が第一突部２２６ｄにより保持された状態を示している。図中の二点鎖線は、当該配線２６とは直径が異なる配線２７及び配線２８がそれぞれ、第二突部２２６ｅ及び第三突部２２６ｆに保持された例を示している。
【００３４】
各突部２２６ｄ〜２２６ｆは、図８に示すように、溝部２２６の延設方向から見て、先端が尖った直角三角形状をなしている。各突部２２６ｄ〜２２６ｆは、各配線２６〜２８の外周面に当接してその溝部開放側への移動を規制する。各突部２２６ｄ〜２２６ｆの溝部開放側の面は、溝部幅方向の内側に向かって底壁２２６ｃ側に傾斜している。各突部２２６ｄ〜２２６ｆの底壁２２６ｃ側の面は、該底壁２２６ｃと平行に延びている。
【００３５】
［作用効果］
以上説明したように、装置本体２の側面を覆う側面外装カバー２０（上側分割カバー２１及び下側分割カバー２２）には、配線２６〜２８を収容するとともに所定箇所（本実施形態では例えば収容空間Ｕ）まで案内する溝部２１７，２２６が設けられている。
【００３６】
この構成によれば、コネクター１４に接続された配線２６〜２８が外部に剥き出しになって外観意匠が損なわれるのを防止することができる。また、開閉カバー１２の開閉時に、配線２６〜２８が開閉カバー１２と装置本体２との間に噛み込むのを防止することができる。
【００３７】
また、上側分割カバー２１の溝部２１７及び下側分割カバー２２の溝部２２６はそれぞれ、上側背面カバー２４及び下側背面カバー２５の側方突出板２４２及び側方突出板２５２により覆われている。
【００３８】
この構成によれば、溝部２１７及び溝部２２６に収容された配線２６〜２８は、側方突出板２４２及び側方突出板２５２により目隠しされて外部から見えないようになっている。したがって、画像形成装置１の外観意匠をより一層向上させることができる。また、側方突出板２４２及び側方突出板２５２は、上側背面カバー２４及び下側背面カバー２５の一部であるため、目隠し用のカバーを別途設ける必要もない。よって部品点数を削減して製品コストを低減することができる。
【００３９】
さらに、溝部２１７及び溝部２２６を覆う側方突出板２４２及び側方突出板２５２は、厚さ方向に可撓可能に構成されている。したがって、溝部２２６に収納されている配線２６〜２８を引っ張り上げることで、側方突出板２４２及び側方突出板２５２が厚さ方向に撓んで、隙間Ｃを通して配線２６〜２８を取り外すことができる。また、配線２６〜２８を隙間Ｃから押し込むことにより、配線２６〜２８を溝部２１７及び溝部２２６に収納することができる。よって、配線２６〜２８を取り付ける際や取外す際に、上側背面カバー２４及び下側背面カバー２５を取り外す必要がないので作業が容易になる。
【００４０】
さらに、側方突出板２４２及び側方突出板２５２の表面は、上側分割カバー２１及び下側分割カバー２２の表面と面一になっているので、画像形成装置１の側面の外観意匠をより一層向上させることができる。
【００４１】
また、上記配線２６〜２８を収容する溝部２２６は、互いに対向する前壁２２６ａ及び後壁２２６ｂを有していて、この前壁２２６ａ及び後壁２２６ｂは配線２６〜２８をガイドするガイド壁として機能する。そして、前壁２２６ａ及び後壁２２６ｂは、溝部２２６の深さ方向の奥側ほど互いの距離が狭くなるように形成されている。
【００４２】
この構成によれば、配線２６〜２８を溝部２２６の深さ方向の奥側に押し込むことで、各配線２６〜２８の直径が異なる場合でも、各配線２６〜２８の外周面を前壁２２６ａ及び後壁２２６ｂに当接させることができる。よって、配線２６〜２８の直径に左右されることなく溝部２２６により各配線２６〜２８を確実に保持することができる。
【００４３】
また、溝部２２６の後壁２２６ｂには、配線２６〜２８を保持する三つの突部２２６ｄ〜２２６ｆが設けられており、三つの突部２２６ｄ〜２２６ｆは、使用が予定されている配線２６〜２８の直径に応じて溝部２２６の深さ方向の異なる位置にそれぞれ設けられている。
【００４４】
この構成によれば、直径が異なる三種類の配線２６〜２８の溝部開放側への移動が各突部２２６ｄ〜２２６ｆにより規制される。これにより、配線２６〜２８が溝部２２６の外側にはみ出して外観意匠を損ねたり開閉カバー１２に噛み込んだりするのを確実に防止することができる。
【００４５】
ここで、溝部２２６の後壁２２６ｂの傾斜角度θ２は前壁２２６ａの傾斜角度θ１よりも小さい。
【００４６】
したがって、画像形成装置１の前側に立った使用者から隙間Ｃ（図８参照）を介して見える壁部（図８の例では後壁２２６ｂ）の傾きを極力抑えることができる。よって、使用者から見た外観意匠をさらに向上させることができる。
【００４７】
《実施形態２》
図９は、実施形態２を示す図８相当図である。本実施形態では、溝部２２６の開放側を追う側方突出板２５２の先端部の形状が実施形態とは異なっている。尚、側方突出板２４２についても同様の形状が適用されるが、ここでは図示を省略している。
【００４８】
すなわち、本実施形態では、側方突出板２５２の先端部２５２ａは、その他の部分よりも板圧が薄く形成されている。この構成により、側方突出板２５２の板厚を一定にした場合に比べて、側方突出板２５２の先端部が厚さ方向に撓み易くなる。よって、側方突出板２５２の先端部を撓ませて配線２６〜２８を溝部２２６から容易に取外すことができる。
【００４９】
《他の実施形態》
本発明は、上記実施形態１について、以下のような構成としてもよい。
【００５０】
上記各実施形態では、溝部２２６内の突部２２６ｄ〜２２６ｆの先端部は鋭角に尖って形成されているが、円弧面状に形成されていてもよい。これにより、溝部２２６内に配線２６〜２８を収容する際に各配線２６〜２８の表面に傷が付くのを防止することができる。
【００５１】
上記各実施形態は、三つの突部２２６ｄ〜２２６ｆを溝部２２６の後壁２２６ｂに形成するようにしているが前壁２２６ａに形成するようにしてもよい。これにより、画像形成装置１の前側に立った使用者から、隙間Ｃを通じて突部２２６ｄ〜２２６ｆが見え難くなる。よって、使用者から見た見栄えをより一層向上させることができる。
【００５２】
また、上記各実施形態では、側面外装カバー２０を上側分割カバー２１と下側分割カバー２２とに分割されているが、これに限ったものではなく両カバー２０，２１は一体形成されていてもよい。
【００５３】
また、上記各実施形態では、背面外装カバー２３は上側背面カバー２４と下側背面カバー２５とに分割されているが、これに限ったものではなく両カバー２４，２５は一体形成されていてもよい。
【００５４】
また、本発明は上記実施形態１及び２限定されるものでなく、本発明には、これらの実施形態１及び２を適宜組み合わせた構成が含まれる。
【産業上の利用可能性】
【００５５】
以上説明したように、本発明は画像形成装置について有用である。
【符号の説明】
【００５６】
１        ：画像形成装置
２        ：装置本体
４        ：画像形成部
１４      ：コネクター
２１      ：上側分割カバー（側面外装カバー）
２２      ：下側分割カバー（側面外装カバー）
２３      ：背面外装カバー（被覆カバー）
２４      ：上側背面カバー（被覆カバー）
２５      ：下側背面カバー（被覆カバー）
２６      ：配線
２７      ：配線
２８      ：配線
２１７    ：溝部
２２６    ：溝部
２２６ａ  ：前壁（ガイド壁）
２２６ｂ  ：後壁（ガイド壁９
２２６ｄ  ：第一突部（複数の突部）
２２６ｅ  ：第二突部（複数の突部）
２２６ｆ  ：第三突部（複数の突部）
２２７    ：第一平坦部
２２８    ：第二平坦部
２４２    ：側方突出板（板部）
２５２    ：側方突出板（板部）
２５２ａ  ：先端部
θ１      ：傾斜角度
θ２      ：傾斜角度
【図１】
2020046535.tif 000003
【図２】
2020046535.tif 000004
【図３】
2020046535.tif 000005
【図４】
2020046535.tif 000006
【図５】
2020046535.tif 000007
【図６】
2020046535.tif 000008
【図７】
2020046535.tif 000009
【図８】
2020046535.tif 000010
【図９】
2020046535.tif 000011